(57)【要約】【課題】横からの衝撃に十分耐え、形状、寸法、緩衝性能の異なる被梱包物を、少ない種類の共通の梱包材で同じ形状、寸法の外箱に梱包することが可能な梱包箱を提供する。【解決手段】梱包箱１は、外箱である箱体２の内部に、井桁状に組み合わされた複数の仕切り板１０と、箱体２の内周面と仕切り板１０との間に介在する緩衝ブロック２０とを備える。仕切り板１０は、各々を井桁状に組み合わせるための第１の切り込み１１を複数備えるとともに、緩衝ブロック２０を装着するための第２の切り込み１２を複数備える。したがって、緩衝ブロック２０の作用により、梱包箱１が横方向からの衝撃を受けた場合であっても、これに十分耐えることができる。また、仕切り板１０の組み合わせ方や緩衝ブロック２０の配置変更により、同じ種類の製品であっても、機種が異なり、外形形状、寸法、及び緩衝性能が異なる被梱包物にも対応して梱包することが可能である。【選択図】図１
2008030807.tif 000002
【特許請求の範囲】
【請求項１】
箱体と、この箱体の内部に配置され、井桁状に組み合わされた複数の仕切り板とを備えた梱包箱において、
前記箱体の内周面と前記仕切り板との間に介在する緩衝ブロックをさらに備えるとともに、被梱包物が、井桁状に組み合わされた前記複数の仕切り板に包囲された収容空間に、前記緩衝ブロックにて支持されながら収容されていることを特徴とする梱包箱。
【請求項２】
前記仕切り板は、各々を井桁状に組み合わせるための第１の切り込みと、前記緩衝ブロックを装着するための第２の切り込みとを備えるとともに、緩衝ブロックが、第２の切り込みに対して上方より着脱自在に係止されていることを特徴とする請求項１に記載の梱包箱。
【請求項３】
前記仕切り板は、前記第１の切り込みを長手方向に沿って３箇所以上備えることを特徴とする請求項１または請求項２に記載の梱包箱。
【請求項４】
前記仕切り板は、前記第２の切り込みを長手方向に沿って複数箇所備えることを特徴とする請求項１〜請求項３のいずれか１項に記載の梱包箱。
【請求項５】
前記緩衝ブロックは、装着時に前記箱体の内周面と前記仕切り板との間に配置されるブロック本体部と、このブロック本体部から仕切り板を越えて前記収容空間に突出して被梱包物を上方より支持する支持部とを備えることを特徴とする請求項１〜請求項４のいずれか１項に記載の梱包箱。
【請求項６】
前記仕切り板及び／または緩衝ブロックの少なくとも一方の表面に、被梱包物が梱包された際のその被梱包物の側面の前後左右を表す文字記号を付したことを特徴とする請求項１〜請求項５のいずれか１項に記載の梱包箱。
【発明の詳細な説明】
【技術分野】
【０００１】
この発明は、被梱包物である物品を、緩衝支持しながら収容する梱包箱に関する。
【背景技術】
【０００２】
メーカーが自社で生産した製品を出荷し、あるいはその出荷の前に倉庫などに保管する際、移動時の衝撃から製品を保護するために、梱包箱に緩衝部材を介して収容し、梱包するのが一般的である。複写機、ファクシミリ、プリンタ、およびこれらの複合機といった精密電子機器類の場合も同様に、そのような梱包箱に梱包されている。
【０００３】
上記のような梱包箱の一例を、特許文献１に見ることができる。特許文献１に記載された梱包箱は、外箱である段ボール製箱体と、この箱体の内部に配置され、井桁状に組み合わされた４枚の側面仕切り（仕切り板）とを備え、井桁状に組み合わされた側面仕切りで包囲された収容空間に、収容物品（被梱包物）を収容している。
【特許文献１】特開平９−３１５４２３号公報（第２−３頁、図１）
【発明の開示】
【発明が解決しようとする課題】
【０００４】
特許文献１に記載された梱包箱は、梱包箱の横方向からの衝撃に関して、箱体の内周面と側面仕切り（仕切り板）との間に設けられた空間によって衝撃を吸収しようとしている。しかしながら、衝撃が大きい場合、この梱包箱は、箱体の内周面と仕切り板との間に緩衝部材が設けられていないので、横方向からの衝撃に十分耐えられない恐れがある。したがって、被梱包物の側面が損傷する可能性が高く、衝撃に敏感な電子部品を備える精密電子機器にいたっては機器全体に不具合が発生する場合もある。
【０００５】
一方ここで、梱包される同じ種類の製品は、外形の形状、寸法は似通ったものとなっていることが多いので、各々の種類の中で機種が変わった場合であっても、全く同じ外形寸法の箱体（直方体或いは立方体）の外箱の中に収容して梱包するのが望ましい。これにより、機種ごとに梱包箱を設計し、金型を製作する必要がないので、それに掛かるコストの低減を図ることができる。また、同じ外形寸法の箱体は、規則正しい積み上げ方ができるので、それらを在庫する際、大量に積み上げても、荷崩れする可能性が低く安全であるとともに、倉庫内における収容量の管理上、好都合である。
【０００６】
しかしながら、同じ種類の製品であっても、通常、機種が異なれば外形形状や寸法の細部は異なる。これにより、機種の異なる製品を梱包し、横方向からの衝撃に対応するために緩衝部材を設ける際、各々の機種に対応した形状、寸法を有する専用の緩衝部材が必要となり、その設計や金型の製作に多くの費用が掛かることになる。
【０００７】
さらに、特許文献１に記載された梱包箱のように、井桁状に組み合わされた複数の仕切り板に包囲された収容空間の大きさが変更できない場合、機種ごとに微妙に外形形状や寸法が異なる同じ種類の製品を収容することが困難になる。したがって、仕切り板においても、その構成や配置に、機種が異なる場合への対応を考慮する必要がある。すなわち、仕切り板に対しても、機種ごとに設計したり、金型を製作したりするようなことを回避し、共用が可能であって、被梱包物の外形形状や寸法が異なる場合にも対応可能な構成にすることが望ましい。
【０００８】
本発明は上記の点に鑑みなされたものであり、箱体の内部に、井桁状に組み合わされた複数の仕切り板を備えた梱包箱において、横方向からの衝撃に十分耐えることができ、被梱包物を衝撃から確実に保護することが可能な梱包箱を提供することを目的とする。さらに、収容する被梱包物の機種が異なり、各々の外形形状、寸法、及び緩衝性能が異なる場合であっても、被梱包物各々に対応した形状、寸法を有する専用の梱包材を用いることなく、少ない種類の共通の梱包材によって同じ形状、寸法の外箱に被梱包物を梱包することが可能な梱包箱を提供することを目的とする。
【課題を解決するための手段】
【０００９】
上記の課題を解決するため、本発明は、箱体と、この箱体の内部に配置され、井桁状に組み合わされた複数の仕切り板とを備えた梱包箱において、前記箱体の内周面と前記仕切り板との間に介在する緩衝ブロックをさらに備えるとともに、被梱包物が、井桁状に組み合わされた前記複数の仕切り板に包囲された収容空間に、前記緩衝ブロックにて支持されながら収容されていることとした。
【００１０】
また、上記構成の梱包箱において、前記仕切り板は、各々を井桁状に組み合わせるための第１の切り込みと、前記緩衝ブロックを装着するための第２の切り込みとを備えるとともに、緩衝ブロックが、第２の切り込みに対して上方より着脱自在に係止されていることとした。
【００１１】
また、上記構成の梱包箱において、前記仕切り板は、前記第１の切り込みを長手方向に沿って３箇所以上備えることとした。
【００１２】
また、上記構成の梱包箱において、前記仕切り板は、前記第２の切り込みを長手方向に沿って複数箇所備えることとした。
【００１３】
また、上記構成の梱包箱において、前記緩衝ブロックは、装着時に前記箱体の内周面と前記仕切り板との間に配置されるブロック本体部と、このブロック本体部から仕切り板を越えて前記収容空間に突出して被梱包物を上方より支持する支持部とを備えることとした。
【００１４】
また、上記構成の梱包箱において、前記仕切り板及び／または緩衝ブロックの少なくとも一方の表面に、被梱包物が梱包された際のその被梱包物の側面の前後左右を表す文字記号を付することとした。
【発明の効果】
【００１５】
本発明の構成によれば、箱体と、この箱体の内部に配置され、井桁状に組み合わされた複数の仕切り板とを備えた梱包箱において、箱体の内周面と仕切り板との間に介在する緩衝ブロックをさらに備えるとともに、被梱包物が、井桁状に組み合わされた複数の仕切り板に包囲された収容空間に、緩衝ブロックにて支持されながら収容されていることとしたので、緩衝ブロックの作用により、梱包箱が横方向からの衝撃を受けた場合であっても、これに十分耐えることができる。これにより、被梱包物の側面が損傷したり、被梱包物に備えられた電子部品に不具合が発生したりすることを防止することが可能である。したがって、箱体の内部に、井桁状に組み合わせた複数の仕切り板で収容空間を構成した梱包箱において、横方向からの衝撃にも十分耐えることができる緩衝特性が得られ、被梱包物を確実に衝撃から保護することが可能な梱包箱を提供することができる。
【００１６】
また、上記仕切り板は、各々を井桁状に組み合わせるための第１の切り込みと、緩衝ブロックを装着するための第２の切り込みとを備えるとともに、緩衝ブロックが、第２の切り込みに対して上方より着脱自在に係止されていることとしたので、収容空間に被梱包物を収容した後、被梱包物の外形形状を確認しながら、緩衝ブロックを箱体の内周面と仕切り板との間に装着することが可能である。これにより、被梱包物の外形形状に対応した緩衝ブロックによる緩衝効果が確実に得られるように、緩衝ブロックを装着することができる。また、開梱する際、緩衝ブロックを取り外してから、被梱包物を取り出すことが可能である。したがって、開梱時、緩衝ブロックが邪魔になることがなく、被梱包物や緩衝ブロック、仕切り板、箱体の破損を防止することができる。
【００１７】
また、上記仕切り板は、第１の切り込みを長手方向に沿って３箇所以上備えることとしたので、仕切り位置を任意に変更することができ、井桁状に組み合わされた仕切り板によって包囲された収容空間の大きさを自由に変更することが可能である。これにより、同じ種類の製品であっても、機種が異なり、外形形状、寸法、及び緩衝性能が異なる被梱包物にも対応して梱包できる。したがって、被梱包物各々に対応した形状、寸法を有する専用の仕切り板を用いることなく、少ない種類の共通の仕切り板によって同じ形状、寸法の外箱に被梱包物を梱包することが可能である。
【００１８】
また、上記仕切り板は、第２の切り込みを長手方向に沿って複数箇所備えることとしたので、仕切り板に対して、任意の箇所に、任意の個数の緩衝ブロックを装着することが可能である。これにより、同じ種類の製品であっても、機種が異なり、外形形状、寸法、及び緩衝性能が異なる被梱包物にも対応して緩衝ブロックを設けることができる。したがって、被梱包物各々に対応した形状、寸法を有する専用の緩衝ブロックを用いることなく、少ない種類の共通の緩衝ブロックによって同じ形状、寸法の外箱に被梱包物を梱包することが可能である。
【００１９】
また、上記緩衝ブロックは、装着時に箱体の内周面と仕切り板との間に配置されるブロック本体部と、このブロック本体部から仕切り板を越えて収容空間に突出して被梱包物を上方より支持する支持部とを備えることとしたので、単体の緩衝ブロックにより、被梱包物に対する横方向からの衝撃の吸収と、被梱包物の上部の支持とを、同時に実現することが可能である。したがって、緩衝ブロックの種類をより一層少なくすることができ、その設計や金型の製作に掛かるコストをさらに低減させることが可能である。
【００２０】
また、上記仕切り板及び／または緩衝ブロックの少なくとも一方の表面に、被梱包物が梱包された際のその被梱包物の側面の前後左右を表す文字記号を付することとしたので、被梱包物の梱包作業をスムーズに遂行することができる。したがって、少ない種類の共通の梱包材によって同じ形状、寸法の外箱に被梱包物を梱包できることに加えて、梱包の作業効率の向上を図ることが可能である。
【発明を実施するための最良の形態】
【００２１】
以下、本発明の実施形態を図１〜図９に基づき説明する。
【００２２】
最初に、本発明の第１の実施形態に係る梱包箱について、図１〜図４を用いてその構成を説明する。図１は梱包箱全体の斜視図にして、梱包材を展開した状態を示すもの、図２は梱包箱の仕切り板の正面図、図３は梱包箱の緩衝ブロックの斜視図、図４は緩衝ブロックの展開図である。
【００２３】
図１に示すように、梱包箱１は、外箱である箱体２と、仕切り板１０と、緩衝ブロック２０とで構成される梱包材を備えている。
【００２４】
箱体２は、図１に示すように、段ボール製の、直方体形状の箱をなしている。箱体２の上面、及び底面には、各々、開閉式のフラップ３が２個ずつ対向する形で、計４個ずつ備えられている。この箱体２の内部に、被梱包物１００が収容され、梱包される。
【００２５】
仕切り板１０は、図１に示すように、４枚用いて井桁状に組み合わされ、箱体２の内部に配置される。この仕切り板１０は、対向する２枚が同じ構成であり、すなわち２種類のものが使用され、図２に示す形状をなしている。なお、図２では、２種類の仕切り板１０を描いているが、横方向の長さが異なる以外の概略構成は、双方略同じになっている。
【００２６】
図２に示す仕切り板１０は、図の上下方向が箱体２に収容される際の高さ方向であり、図の左右方向が箱体２の側面に沿う方向である。仕切り板１０は、段ボールで構成され、この段ボールの波板状中芯１０ａの波目方向が、仕切り板１０の長手方向に一致している。仕切り板１０には、上縁と下縁から、それぞれの対向縁に向かって上下方向に延びる切り込みが複数備えられている。
【００２７】
複数の切り込みのうち、両側辺の各々から一番目は、上縁から下縁に向かう第１の切り込み１１となっている（図２の下側の仕切り板１０では下縁から上縁に向かっている）。この第１の切り込み１１は、仕切り板１０の高さ方向の略半分の深さで構成されている。そして、図１に示すように仕切り板１０を４枚用いて井桁状に組み合わせる際、隣り合う仕切り板１０の第１の切りこみ１１の上下を図２に示すように互い違いにし、第１の切りこみ１１同士を係合させる。これにより、図１に示すような井桁形状の仕切り壁が形成でき、これらの仕切り板１０に包囲された収容空間に被梱包物１００が収容される。
【００２８】
左右の第１の切り込み１１の間には、上縁、及び下縁の各々から対向縁に向かう形で、第２の切り込み１２が設けられている。第２の切り込み１２は、仕切り板１０の長手方向に沿って複数箇所備えられ、仕切り板１０の高さ方向の半分よりも浅い深さで構成されている。また、第２の切り込み１２は、仕切り板１０の高さ方向の中心線に対して上下対称の形で設けられている。このような第２の切り込み１２は、図１に示す緩衝ブロック２０を係止するためのものである。なお、図１においては、仕切り板１０の下部に位置する第２の切り込み１２の描画を省略している。
【００２９】
緩衝ブロック２０は、図３に示すように、横方向から見た形状が鍵形をなす立体で構成されている。そして、緩衝ブロック２０は、箱体２の内周面と仕切り板１０との間に介在する形で、箱体２の内部に配置される。
【００３０】
緩衝ブロック２０を構成する立体を展開すると、図４に示す展開図のようになる。図４には、緩衝ブロック２０の展開図が、４種類例示して、描かれている。４種類の展開図は、緩衝範囲や緩衝強度等の違いにより、各々、その形状や寸法が大きく異なるが、それらを組み立てると、概ね図３に示した鍵型の立体形状２０Ａ、或いは２０Ｂとなる。なお、２０Ａ、２０Ｂは、殆ど概略構成が同じであるので、緩衝ブロック２０の説明において、「Ａ」、「Ｂ」の識別記号は省略するものとする。緩衝ブロック２０は、仕切り板１０と同様に段ボールで構成され、段ボールの波板状中芯２０ａの波目方向が、緩衝ブロック２０の横方向に一致している。
【００３１】
そして、緩衝ブロック２０は、図３に示すように、ブロック本体部２１と、支持部２２とを備えている。
【００３２】
緩衝ブロック２０のブロック本体部２１は、箱体２の内周面と仕切り板１０との間に配置される部分である（図５参照）。ブロック本体部２１は、図４の展開図にて示した１枚の段ボールを折り込み、角柱形状に仕上げられて構成される（図３参照）。梱包箱１が衝撃を受けた場合、このブロック本体部２１が、その衝撃の大半を吸収することとなる。
【００３３】
なお、このブロック本体部２１において、被梱包物１００と対向する面に対して背面に相当する一面には、図４に示すように、「Ｆ」、或いは「Ｒ」の文字記号２１ｆ、２１ｒが付されている。この「Ｆ」は、被梱包物１００が梱包された際のその被梱包物１００の側面の前後左右のうち、正面（フロント）を意味し、「Ｒ」は背面（リア）を意味する。これらの文字記号２１ｆ、２１ｒは、段ボールを打ち抜くことによって形成されている。このような文字記号２１ｆ、２１ｒは、仕切り板１０に付しても構わない。
【００３４】
緩衝ブロック２０の支持部２２は、ブロック本体部２１から仕切り板１０を越えて、被梱包物１００の収容空間に突出する形で構成されている（図５参照）。支持部２２は、その主たる部分が、図３に示すように、上下方向に延び、横方向に対向する２枚の板状部材２２ａで構成されている。支持部２２の２枚の板状部材２２ａは、その対向面の間隔が、仕切り板１０に設けられた、隣り合う第２の切りこみ１２の間隔に一致している。緩衝ブロック２０は、仕切り板１０の第２の切りこみ１２に、上方から支持部２２を係止させることにより、着脱自在に装着することができる。支持部２２は、被梱包物１００の上方に突出する形となり、被梱包物１００を上方より支持する。
【００３５】
なお、緩衝ブロック２０については、前述のように図４に４種類の展開図を描画したが、これらは形状を例示しただけであって、少ない種類の梱包材によって被梱包物１００を梱包するために、どれか１種類だけを用いることとしても構わない。
【００３６】
次に、上記のような梱包箱１を用いて、被梱包物１００を梱包する方法について、図１及び図２に加えて、図５を用いて説明する。図５は、梱包状態にある梱包箱の内部を示す上面図である。なお、図５中、被梱包物１００の外形形状を二点鎖線で描画し、外箱である箱体２のフラップ３の描画は省略している。
【００３７】
被梱包物１００を梱包する際、まず、図１に示すように、外箱２の内部に被梱包物１００を載置する。この時、被梱包物１００は、被梱包物１００と外箱２の内周面との間に隙間ができるように配置する。
【００３８】
続いて、図１及び図５に示すように、４枚の仕切り板１０を井桁状に組み合わせる。井桁は、その隣接するもの同士の仕切り板１０において、一方の第１の切り込み１１（図２参照）に他方の第１の切り込み１１を差し込んで形成する。これにより、四方が仕切り板１０にて包囲された収容空間が構成され、この収容空間に被梱包物１００が収まるように、井桁状に組み合わされた４枚の仕切り板１０を、箱体２の内部に挿入する。
【００３９】
そして、井桁状に形成された４枚の仕切り板１０の各々に、立体形状に構成された緩衝ブロック２０を装着する。この緩衝ブロック２０の装着は、前述した通り、緩衝ブロック２０の支持部２２の対向面を、仕切り板１０の上縁側に形成された第２の切り込み１２（図２参照）に係止させる。
【００４０】
緩衝ブロック２０は、梱包する被梱包物１００の外形形状が異なる場合には、それに応じて装着位置や個数を変更する。その際、仕切り板１０には、その長手方向に沿って複数の第２の切り込み１２を形成しているので、緩衝ブロック２０の位置変更を簡単に行うことが可能である。
【００４１】
次に、図６に、図５とは異なる外形形状の被梱包物１０１を梱包した場合の、梱包箱１の内部を示す上面図を示している。ここでは、図５に示した被梱包物１００に対して、外形形状が異なる被梱包物１０１するため、それに応じて緩衝ブロック２０の配置を変更している。
【００４２】
図６に示すように、被梱包物１０１の外形形状が変わった場合でも、被梱包物１００を梱包している時の緩衝ブロック２０の配置を変更するだけで対応できる。すなわち、別途、新たな仕切り板１０や緩衝ブロック２０を用意する必要はない。
【００４３】
さらに、この緩衝ブロック２０の装着については、被梱包物の外形形状の変化にのみ対応するわけではなく、被梱包物の緩衝性能の変化に対しても、その位置や個数を変更するだけで、共通の緩衝ブロック２０で対応することができる。これに関して、図７に、図５及び図６とは異なる緩衝性能の被梱包物１０２を梱包した場合の、梱包箱１の内部を示す上面図を示している。
【００４４】
図７に示す被梱包物１０２は、図５に示した被梱包物１００と外形形状は同一であるが、その緩衝性能が異なる。各々の被梱包物において、一点鎖線で囲んだ箇所が重量のある部分であって、その部分に緩衝ブロック２０を対応させている。両者は、各々の重量のある部分が異なり、すなわち、緩衝性能が異なる場合でも、被梱包物１００を梱包している時の緩衝ブロック２０の配置を変更するだけで、被梱包物１０２にも対応できる。すなわち、別途、新たな仕切り板１０や緩衝ブロック２０を用意する必要はない。
【００４５】
上記のようにして、箱体２と、この箱体２の内部に配置され、井桁状に組み合わされた複数の仕切り板１０とを備えた梱包箱１において、箱体２の内周面と仕切り板１０との間に介在する緩衝ブロック２０をさらに備えるとともに、被梱包物１００が、井桁状に組み合わされた複数の仕切り板１０に包囲された収容空間に、緩衝ブロック２０にて支持されながら収容されているので、緩衝ブロック２０の作用により、梱包箱１が横方向からの衝撃を受けた場合であっても、これに十分耐えることができる。これにより、被梱包物１００の側面が損傷したり、被梱包物１００に備えられた電子部品に不具合が発生したりすることを防止することが可能である。したがって、箱体２の内部に、井桁状に組み合わせた複数の仕切り板１０で収容空間を構成した梱包箱１において、横方向からの衝撃にも十分耐えることができる緩衝特性が得られ、被梱包物１００を確実に衝撃から保護することが可能な梱包箱１を提供することができる。
【００４６】
また、仕切り板１０は、各々を井桁状に組み合わせるための第１の切り込み１１と、緩衝ブロック２０を装着するための第２の切り込み１２とを備えるとともに、緩衝ブロック２０が、第２の切り込み１２に対して上方より着脱自在に係止されているので、収容空間に被梱包物１００を収容した後、被梱包物１００の外形形状を確認しながら、緩衝ブロック２０を箱体２の内周面と仕切り板１０との間に装着することが可能である。これにより、被梱包物１００の外形形状に対応した緩衝ブロック２０による緩衝効果が確実に得られるように、緩衝ブロック２０を装着することができる。また、開梱する際、緩衝ブロック２０を取り外してから、被梱包物１００を取り出すことが可能である。したがって、開梱時、緩衝ブロック２０が邪魔になることがなく、被梱包物１００や緩衝ブロック２０、仕切り板１０、箱体２の破損を防止することができる。
【００４７】
そして、仕切り板１０は、第２の切り込み１２を長手方向に沿って複数箇所備えているので、仕切り板１０に対して、任意の箇所に、任意の個数の緩衝ブロック２０を装着することが可能である。これにより、同じ種類の製品であっても、機種が異なり、外形形状、寸法、及び緩衝性能が異なる被梱包物１０１、１０２にも対応して緩衝ブロック２０を設けることができる。したがって、被梱包物各々に対応した形状、寸法を有する専用の緩衝ブロックを用いることなく、少ない種類の共通の緩衝ブロック２０によって、同じ形状、寸法の外箱である箱体２に被梱包物１０１、１０２を梱包することが可能である。
【００４８】
さらに、緩衝ブロック２０は、装着時に箱体２の内周面と仕切り板１０との間に配置されるブロック本体部２１と、このブロック本体部２１から仕切り板１０を越えて収容空間に突出して被梱包物１００を上方より支持する支持部２２とを備えているので、単体の緩衝ブロック２０により、被梱包物１００に対する横方向からの衝撃の吸収と、被梱包物１００の上部の支持とを、同時に実現することが可能である。したがって、緩衝ブロック２０の種類をより一層少なくすることができ、その設計や金型の製作に掛かるコストをさらに低減させることが可能である。
【００４９】
また、仕切り板１０及び／または緩衝ブロック２０の少なくとも一方の表面に、被梱包物１００が梱包された際のその被梱包物１００の側面の前後左右を表す文字記号２１ｆ、２１ｒを付しているので、被梱包物１００の梱包作業をスムーズに遂行することができる。したがって、少ない種類の共通の梱包材によって同じ形状、寸法の箱体２に被梱包物１００を梱包できることに加えて、梱包の作業効率の向上を図ることが可能である。
【００５０】
次に、本発明の第２の実施形態に係る梱包箱について、図８、及び図９を用いてその構成を説明する。図８は仕切り板の正面図、図９は梱包箱全体の斜視図にして、梱包材を展開した状態を示すものである。なお、この実施形態の基本的な構成は、図１〜図７を用いて説明した前記第１の実施形態と同じであるので、第１の実施形態と共通する構成については図面の記載、及びその説明を省略するものとする。
【００５１】
第２の実施形態に係る梱包箱１において、仕切り板１０は、図８に示すように、第１の切り込み１１を長手方向に沿って３箇所備えている。第１の切り込み１１は、仕切り板１０の両側辺の各々から一番目である２箇所に加えて、長手方向の略中央にもう１箇所設けられている。
【００５２】
この長手方向略中央の箇所の第１の切り込み１１を利用して、仕切り板１０を井桁状に組み合わせることにより、４枚の仕切り板１０が包囲する被梱包物の収容空間を、第１の実施形態の場合と比べて小さくすることができる。したがって、図９に示すように、箱体２の内容量に対して、被梱包物１０３が比較的小さい場合であっても、これに対応して内部を仕切ることが可能である。
【００５３】
なおこの場合、箱体２は第１の実施形態の時と同じ大きさであるので、被梱包物１０３の収容空間が小さくなった分、箱体２の内周面と仕切り板１０との間の隙間が大きくなってしまう箇所ができることとなる。ここには、図９に示すように、ブロック本体部２１を横方向に延ばすことにより、緩衝性能が損なわれることがないようにした緩衝ブロック２０Ｃ、或いは２０Ｄが配置される。
【００５４】
このようにして、仕切り板１０は、第１の切り込み１１を長手方向に沿って３箇所以上備えているので、仕切り位置を任意に変更することができ、井桁状に組み合わされた仕切り板１０によって包囲された収容空間の大きさを自由に変更することが可能である。これにより、同じ種類の製品であっても、機種が異なり、外形形状、寸法、及び緩衝性能が異なる被梱包物１０３にも対応して梱包できる。したがって、被梱包物各々に対応した形状、寸法を有する専用の仕切り板を用いることなく、少ない種類の共通の仕切り板１０によって同じ形状、寸法の箱体２に被梱包物を梱包することが可能である。
【００５５】
以上、本発明の実施形態につき説明したが、本発明の範囲はこれに限定されるものではなく、発明の主旨を逸脱しない範囲で種々の変更を加えて実施することができる。
【００５６】
例えば、仕切り板１０の外形形状や、第１の切り込み１１及び第２の切り込み１２の大きさ、配置箇所、数量は、本実施形態のものに限定されるわけではなく、被梱包物や緩衝ブロック２０の形状、寸法に対応させて変更しても構わない。同様に、緩衝ブロック２０も、その外形形状や大きさ、配置箇所、数量は、本実施形態のものに限定されるわけではなく、変更しても構わない。
【産業上の利用可能性】
【００５７】
本発明は、被梱包物を梱包する梱包箱全般において利用可能である。
【図面の簡単な説明】
【００５８】
【図１】本発明の第１の実施形態に係る梱包箱の全体の斜視図にして、梱包材を展開した状態を示すものである。
【図２】図１に示す梱包箱の仕切り板の正面図である。
【図３】図１に示す梱包箱の緩衝ブロックの斜視図である。
【図４】図３に示す緩衝ブロックの展開図である。
【図５】梱包状態にある梱包箱の内部を示す上面図である。
【図６】図５と異なる構成の梱包箱の内部を示す上面図である。
【図７】図５及び図６と異なる構成の梱包箱の内部を示す上面図である。
【図８】本発明の第２の実施形態に係る梱包箱の仕切り板の正面図である。
【図９】本発明の第２の実施形態に係る梱包箱の全体の斜視図にして、梱包材を展開した状態を示すものである。
【符号の説明】
【００５９】
１    梱包箱
２    箱体（外箱）
１０  仕切り板
１１  第１の切り込み
１２  第２の切り込み
２０  緩衝ブロック
２１  ブロック本体部
２２  支持部
１００〜１０３  被梱包物
【図１】
2008030807.tif 000003
【図２】
2008030807.tif 000004
【図３】
2008030807.tif 000005
【図４】
2008030807.tif 000006
【図５】
2008030807.tif 000007
【図６】
2008030807.tif 000008
【図７】
2008030807.tif 000009
【図８】
2008030807.tif 000010
【図９】
2008030807.tif 000011